(57)【要約】【課題】  本発明は、銀行券、パスポート、有価証券、カード、印紙類、商品タグ又は美術紙等に適用する透かし入り用紙に関するものである。【解決手段】  透かしからなる微小紋様が用紙に形成され、更に、複数の微小紋様群によって紋様が形成された透かし入り用紙である。【選択図】  図２
2005171429.tif 000002
【特許請求の範囲】
【請求項１】
微小紋様がすき入れによって用紙に形成されていることを特徴とする透かし入り用紙。
【請求項２】
前記微小紋様の種類が白透かし、黒透かし又は白黒透かしによって形成されることを特徴とする請求項１記載の透かし入り用紙。
【請求項３】
前記微小紋様が複数形成され、前記複数形成された微小紋様群によって紋様が形成されることを特徴とする請求項１又は２記載の透かし入り用紙。
【請求項４】
前記微小紋様群が、各微小紋様の大きさの違い、各微小紋様の書体の違い、各微小紋様を形成する線の太さの違い、各微小紋様を形成する凹凸量の違い、単位面積あたりの微小紋様数の違い又はそれらの組合せによって明暗調が形成されることを特徴とする請求項３記載の透かし入り用紙。
【発明の詳細な説明】
【技術分野】
【０００１】
本発明は、銀行券、パスポート、有価証券、カード、印紙類、商品タグ又は美術紙等に適用する透かし入り用紙に関するものである。
【背景技術】
【０００２】
現在、銀行券、パスポート、有価証券等の貴重印刷物には様々な偽造防止技術が用いられている。例えば、印刷技術によって施される偽造防止技術として微小文字が挙げられる。微小文字は、コピー機等の複写防止対策の１つとして有効であり、肉眼で視認しにくい１０００μｍ以下の微細な文字、記号等をオフセット印刷や凹版印刷等で印刷する技術である。この微小文字の真偽判別方法は、印刷物では微小文字の判読がルーペ等で可能であるが、コピー等で複写すると微小文字は正確に再現されないため判読できず、本物か否かの差別化が容易に図られる。
【０００３】
また、紙自体に施される技術として、混抄紙、透かし入り用紙等が挙げられる。透かし入り用紙には、白透かし、黒透かし、白黒透かしが挙げられ、透かしの美しさから意匠性に優れ、さらに、偽造防止の効果も有する。通常、透かし入り用紙の透かし模様を判別するには透過光により判別される。代表的なものとして銀行券の肖像が挙げられる。
【０００４】
繊維組成物に基礎付けられかつ少なくとも１つの多濃淡効果の透かし模様を有する紙であって、透過光で観察したとき、透かし模様はスクリーン付けされた像の形態に配列された一組の薄い領域を有している多濃淡効果の透かし模様を含む紙およびこの紙を製作するためのワイヤが開示されている（特許文献１）。
【０００５】
【特許文献１】特開２００１−３０３４８６号公報参照（第１頁、第１図）
【０００６】
しかしながら、上記記載の印刷によって施される微小文字は近年のコンピュータ関連技術の発展に伴い、プリンタ等での微細な文字等の再現が可能となってきている。また、紙自体に施される透かしにおいて、偽造されないために複雑に形成する必要がある。しかしながら、透かしは紙に形成するため微細な文字、記号等を形成することは不可能であった。
【発明の開示】
【発明が解決しようとする課題】
【０００７】
本発明は前述した問題点を解決することを目的としたもので、従来は、透かし模様は、透かし自体が入っていることが偽造防止手段となり、透かしの内容は模様等が主で、文字を入れるとしても大まかな文字程度であり、微小な模様や文字は紙材自体に形成しても識別し難いし、付与しにくい等の理由で、透かしに微小な模様や文字を採用するという発想は当業者の常識外で皆無であった。
【０００８】
本発明は、紙材では微小文字、微小記号等の微小紋様は区別できないという従来の常識を逆に利用して、微小文字、微小記号等をあえて採用し、その微小文字、微小記号等を用いて、画線、彩紋模様、図柄等を作製することで偽造防止（透かし入りを気づかない、複製不可能等）効果を向上させる用紙を実現することを課題とするものである。
【課題を解決するための手段】
【０００９】
本発明は、微小紋様がすき入れによって用紙に形成されていることを特徴とする透かし入り用紙である。
【００１０】
また、本発明は、前記微小紋様の種類が白透かし、黒透かし又は白黒透かしによって形成されることを特徴とする透かし入り用紙である。
【００１１】
また、本発明は、前記微小紋様が複数形成され、前記複数形成された微小紋様群によって紋様が形成されることを特徴とする透かし入り用紙である。
【００１２】
また、本発明は、前記微小紋様群が、各微小紋様の大きさの違い、各微小紋様の書体の違い、各微小紋様を形成する線の太さの違い、各微小紋様を形成する凹凸量の違い、単位面積あたりの微小紋様数の違い又はそれらの組合せによって明暗調が形成されることを特徴とする透かし入り用紙である。
【発明の効果】
【００１３】
本発明は、抄紙機及び手すき法によって微小文字、微小記号等の透かしをすき入れによって施すことが可能であるため、微細なエリアに透かしを施すことが可能となり、文字が微細であるため一見しては文字が形成されているとは視認されない。さらに透かしからなる微小文字群、微小記号群等によって画線、彩紋模様又は図柄等を作製することで、コンピュータ、複写機での複製が不可能であることは勿論のこと、容易に複製不可能である偽造防止効果の高い透かし入り用紙を得ることができる。
【発明を実施するための最良の形態】
【００１４】
本発明の実施の形態による透かし入り用紙について図面を参照して説明する。しかしながら、本発明は以下に述べる実施するための最良の形態に限定されるものではなく、特許請求の範囲記載における技術的思想の範囲内であれば、その他のいろいろな実施の形態が含まれる。
【００１５】
本発明に記載される「透かし」とは、コンピュータ上のデータに付与される「電子透かし」とは異なるもので、すき入れによって用紙に凹凸を付与して図柄等を形成するもので、通常、反射光では凹凸によって形成された図柄等は確認し難いが、透過光で観察した場合に凹凸によって形成された図柄等が視認されるものである。代表的なものとして銀行券の肖像が挙げられる。
【００１６】
図１は抄紙機及び手すき法によって作製された３００μｍの大きさからなる透かしによる微小紋様の拡大図である。図１に示すように用紙（１）の微小紋様（２ａ）は白透かし（３ａ）で形成され、微小紋様（２ｂ）は黒透かし（３ｂ）で形成され、微小紋様（２ｃ）は白黒透かし（３ｃ）で形成されている。微小紋様（２ａ）は文字を形成し、微小紋様（２ｂ）は記号を形成し、微小紋様（２ｃ）は数字を形成しているが本発明はこれに限定されることなく、文字、数字、記号、特殊形状の微小紋様を形成することができる。
【００１７】
図２は抄紙機及び手すき法によって作製された３００μｍの大きさからなる透かしによる微小紋様群である。図２は微小紋様群で画線（４ａ、４ｂ、４ｃ、４ｄ）を作製している。直線（４ａ）は透かし画線（５）内に微小紋様（２）が形成されている。このため、反射光では直線（４ａ）は視認し難いが、透過光で観察した場合は、微小紋様（２）自体は視認されることなく、直線（４ａ）は微小紋様（２）がつながった一本の線のように視認される。直線（４ｂ）は微小紋様（２）の群によって形成されている。同様に、反射光では直線（４ｂ）は視認し難いが、透過光で観察した場合は、微小紋様（２）自体は視認されることなく、直線（４ｂ）は微小紋様（２）がつながった一本の線のように視認される。曲線（４ｃ）は透かし画線（５）内に微小紋様（２）が形成されている。同様に、反射光では曲線（４ｃ）は視認し難いが、透過光で観察した場合は、微小紋様（２）自体は視認されることなく、曲線（４ｃ）は微小紋様（２）がつながった一本の線のように視認される。曲線（４ｄ）は微小紋様（２）の群によって形成されている。同様に、反射光では曲線（４ｄ）は視認し難いが、透過光で観察した場合は、微小紋様（２）自体は視認されることなく、曲線（４ｄ）は微小紋様（２）がつながった一本の線のように視認される。これらの画線（４ａ、４ｂ、４ｃ、４ｄ）を形成する微小紋様（２）は、大きさによっては透過光で凝視して観察した場合は、肉眼で認識されるが、３００μｍ程度以下の大きさでは拡大鏡（ルーペ）等で観察して真偽判別する必要がある。
【００１８】
図３は微小紋様（２）の群で彩紋模様（６）を作製している。このため、反射光では彩紋模様（６）は視認し難いが、透過光で観察した場合は、微小紋様（２）自体は視認されることなく、彩紋模様（６）は微小紋様（２）がつながった線のように視認される。彩紋模様（６）を形成する微小紋様（２）は、大きさによっては透過光で凝視して観察した場合は、肉眼で認識されるが、３００μｍ程度以下の大きさでは拡大鏡（ルーペ）等で観察して真偽判別する必要がある。
【００１９】
図４は微小紋様（２）の群で顔画像（７）を作製している。このため、反射光では顔画像（７）は視認し難いが、透過光で観察した場合は、微小紋様（２）自体は視認されることなく、顔画像（７）のみが視認される。顔画像（７）を形成する微小紋様（２）は、大きさによっては透過光で凝視して観察した場合は、肉眼で認識されるが、３００μｍ程度以下の大きさでは拡大鏡（ルーペ）等で観察して真偽判別する必要がある。
【００２０】
図４で示した微小紋様群で顔画像（７）について詳細に説明すると、顔画像（７）の高濃度領域（８ａ）を白透かし（３ａ）の微小紋様群で形成し、低濃度領域（８ｂ）を黒透かし（３ｂ）の微小紋様群で形成し、中間濃度領域（８ｃ）を白黒透かし（３ｃ）の微小紋様群で形成し、顔画像（７）に明暗調、つまり階調を表現している。この場合、顔画像（７）の高濃度領域（８ａ）を白透かし（３ａ）の微小紋様群で形成し、低濃度領域（８ｂ）を黒透かし（３ｂ）の微小紋様群で形成し、中間濃度領域（８ｃ）を白黒透かし（３ｃ）の微小紋様群で形成する。白透かし（３ａ）、黒透かし（３ｂ）、白黒透かし（３ｃ）の異なった種類の透かしによって、透過光で観察した場合に、透過光量に差異が生じて顔画像（７）が明暗調を有して視認される。このように作製された透かし入り用紙は通常の透かし同様に反射光では視認し難いが透過光で階調画像等が視認される。図面では顔画像を形成しているが本発明は顔画像に限定されることなく一般的な図柄等を表現することができる。
【００２１】
さらに、顔画像（７）が、微小紋様の大きさ（文字の大きさ：ポイント数）の違い、微小紋様の書体（フォント）の違い、微小紋様を形成する線の太さの違い、微小紋様を形成する凹凸量の違い、単位面積あたりの微小紋様数の違い又はそれらの組合せによっても、透過光量に差異が生じるため、顔画像に明暗調を施すことも可能である。それらの拡大図を図５に示す。微小紋様の大きさの違いでの明暗調を図５（ａ）に示し、書体の違いでの明暗調を図５（ｂ）に示し、単位面積あたりの微小紋様数の違いでの明暗調を図５（ｃ）に示し、微小紋様を形成する線の太さの違いでの明暗調を図５（ｄ）に示し、微小紋様を形成する凹凸量の違いでの明暗調を図５（ｅ）に示す。
【００２２】
図５（ａ）に示す微小紋様の大きさ（文字の大きさ：ポイント数）の違いでの明暗調を形成する場合、高濃度領域、低濃度領域及び中間濃度領域では微小紋様の大きさが、透過光量に依存し、[高濃度領域を形成する微小紋様の大きさ＜中間濃度領域を形成する微小紋様の大きさ＜低濃度領域を形成する微小紋様の大きさ]、又は、[高濃度領域を形成する微小紋様の大きさ＞中間濃度領域を形成する微小紋様の大きさ＞低濃度領域を形成する微小紋様の大きさ]で形成すればよい。
【００２３】
図５（ｂ）に示す微小紋様の書体（フォント）の違いでの明暗調を形成する場合、高濃度領域、低濃度領域及び中間濃度領域では微小紋様の書体は、その書体における線の面積率が、透過光量に依存し、[高濃度領域を形成する微小紋様の書体の線の面積率＜中間濃度領域を形成する微小紋様の書体の線の面積率＜低濃度領域を形成する微小紋様の書体の線の面積率]、又は、[高濃度領域を形成する微小紋様の書体の線の面積率＞中間濃度領域を形成する微小紋様の書体の線の面積率＞低濃度領域を形成する微小紋様の線の面積率]で形成すればよい。
【００２４】
図５（ｃ）に示す微小紋様の粗密（単位面積当りの微小紋様を形成する密度）の違いでの明暗調を形成する場合、高濃度領域、低濃度領域及び中間濃度領域では微小紋様の粗密は、単位面積当りの微小紋様を形成する密度が、透過光量に依存し、[高濃度領域を形成する微小紋様の単位面積当りの密度＜中間濃度領域を形成する微小紋様の単位面積当りの密度＜低濃度領域を形成する微小紋様の単位面積当りの密度]、又は、[高濃度領域を形成する微小紋様の単位面積当りの密度＞中間濃度領域を形成する微小紋様の単位面積当りの密度＞低濃度領域を形成する微小紋様の単位面積当りの密度]で形成すればよい。
【００２５】
図５（ｄ）に示す微小紋様を形成する線の太さ（微小紋様のぼかし度合）の違いでの明暗調を形成する場合、高濃度領域、低濃度領域及び中間濃度領域では微小紋様を形成する線の太さが、透過光量に依存し、[高濃度領域を形成する微小紋様の線の太さ＜中間濃度領域を形成する微小紋様の線の太さ＜低濃度領域を形成する微小紋様の線の太さ]、又は、[高濃度領域を形成する微小紋様の線の太さ＞中間濃度領域を形成する微小紋様の線の太さ＞低濃度領域を形成する微小紋様の線の太さ]で形成すればよい。
【００２６】
図５（ｅ）に示す微小紋様を形成する凹凸量の違いでの明暗調を形成する場合、高濃度領域、低濃度領域及び中間濃度領域では微小紋様を形成する凹凸量が、透過光量に依存し、[高濃度領域を形成する微小紋様の凹凸量＜中間濃度領域を形成する微小紋様の凹凸量＜低濃度領域を形成する微小紋様の凹凸量]、又は、[高濃度領域を形成する微小紋様の凹凸量＞中間濃度領域を形成する微小紋様の凹凸量＞低濃度領域を形成する微小紋様の凹凸量]で形成すればよい。ここで言う、凹凸量は繊維密度の差によって生じるものも含む。
【００２７】
上記記載の高濃度領域、低濃度領域及び中間濃度領域は、例えば、基となる画像を白黒濃淡のデジタル画像が２５６階調である場合、高濃度領域の画素値が１７０〜２５５、中間濃度領域の画素値が６１〜１６９、及び低濃度領域の画素値が０〜６０として領域分けしたり、また、中間濃度領域を第１の中間濃度領域の画素値が１２１〜１６９、第２の中間濃度領域の画素値が６１〜１２０として複数領域わけしてもよい。
【００２８】
このような、透かし入り用紙を作製するためには透かし型を作製する必要があり、作製するには、手間と熟練を要するため、よって透かし型自体を作製して模造することに対する複製防止或いは偽造防止に繋がる。また、書体においては一般的に使用されている公知の書体と、一般的に使用されていない独自の書体とを含むことが好ましい。このようにすれば、独自の書体を用いることで、より一層、透かし型自体の作製を困難なものにできる。
【００２９】
また、本発明の微小紋様の大きさが１００μｍ乃至３０００μｍである必要があり、偽造の防止を考えると、複製し難い、１００μｍ乃至１０００μｍの範囲が好ましい。（この微小紋様の大きさとは、紋様の高さ及び／又は幅の長さのことである。）
【００３０】
また、本発明の微小紋様は、文字、記号、数字、ロゴマーク又は特殊記号等を作製することが可能である。
【００３１】
また、本発明の微小紋様群によって、画線である直線、曲線、同心円、彩紋模様等を作製することが可能であり、さらに図柄である顔画像、絵柄、模様、ロゴマーク等を作製することが可能である。
【００３２】
本発明の微小紋様の透かし入り用紙は通常の透かし同様に反射光では視認し難いが透過光で上記記載の画線、階調画像等が視認される。
【実施例】
【００３３】
（実施例１）
抄紙機で微小紋様の大きさが１００μｍ、３００μｍ、５００μｍ、７００μｍ及び９００μｍの微小紋様透かし入り用紙を作製した。５０μｍでの微小紋様は、判読不可能であったが、それ以外の１００μｍ、３００μｍ、５００μｍ、７００μｍ及び９００μｍの微小紋様は判読可能であった。
【００３４】
（実施例２）
微小紋様の大きさの違いでの明暗調を有する顔画像を形成した。高濃度領域を形成する微小紋様の大きさ３００μｍ、中間濃度領域を形成する微小紋様の大きさ５００μｍ、低濃度領域を形成する微小紋様の大きさ７００μｍで作製した。作製された階調画像を透かしの微小紋様群で形成された用紙は通常の透かし同様に反射光では視認しに難いが透過光で階調画像が視認された。
【図面の簡単な説明】
【００３５】
【図１】抄紙機及び手すき法によって作製された３００μｍの大きさからなる透かしによる微小紋様を示す拡大図である。
【図２】微小紋様群で画線（４ａ、４ｂ）を作製した図である。
【図３】微小紋様（２）の群で彩紋模様（６）を作製した図である。
【図４】微小紋様群で顔画像（７）を作製した図である。
【図５】微小紋様の大きさの違い、書体の違い、粗密の違い又はそれらの組合せによって明暗調を表現する拡大図である。
【符号の説明】
【００３６】
１          用紙
２ａ、２ｂ、２ｃ          微小紋様
３ａ          白透かし
３ｂ          黒透かし
３ｃ          白黒透かし
４ａ、４ｂ          直線
４ｃ、４ｄ          曲線
５          透かし画線
６          彩紋模様
７          顔画像
８ａ          高濃度領域
８ｂ          低濃度領域
８ｃ          中間濃度領域
９          繊維
【図１】
2005171429.tif 000003
【図２】
2005171429.tif 000004
【図３】
2005171429.tif 000005
【図４】
2005171429.tif 000006
【図５】
2005171429.tif 000007